(57)【要約】【課題】ハーフミラー層の密着性を向上させた上で、非点灯時においても見栄えの良い車両用燈体及び燈体付ドアミラーを提供する。【解決手段】アウターハウジング２２と、アウターハウジング２２に進行方向の前方から組み合わされるアウターレンズ２３と、アウターハウジング２２及びアウターレンズ２３の間に設けられる発光体ユニット２４と、を備えたドアミラー１において、アウターレンズ２３は、アクリル樹脂からなる外層４４と、外層４４の後面に積層されたポリカーボネート樹脂からなる内層４５と、内層４５の後面に積層された金属からなるハーフミラー層４６と、を有していることを特徴とする。【選択図】図２
2014172439.tif 000002
【特許請求の範囲】
【請求項１】
アウターハウジングと、
前記アウターハウジングに進行方向の前方から組み合わされるアウターレンズと、
前記アウターハウジング及び前記アウターレンズの間に設けられる発光体ユニットと、を備えた燈体付ドアミラーにおいて、
前記アウターレンズは、
アクリル樹脂からなる外層と、
前記外層の後面に積層されたポリカーボネート樹脂からなる内層と、
前記内層の後面に積層された金属からなるハーフミラー層と、を有していることを特徴とする車両用燈体。
【請求項２】
前記ハーフミラー層は、成膜法により形成されていることを特徴とする請求項１記載の車両用燈体。
【請求項３】
請求項１または請求項２に記載の車両用燈体を、前記アウターレンズを露出させた状態で収容するとともに、進行方向の後方からミラーが嵌め込まれるミラーボディーを備えていることを特徴とする燈体付ドアミラー。
【発明の詳細な説明】
【技術分野】
【０００１】
本発明は、車両用燈体及び燈体付ドアミラーに関するものである。
【背景技術】
【０００２】
従来から、車体の左右に取り付けられているドアミラー（燈体付ドアミラー）に、サイドターンランプ（車両用燈体）を設け、周囲の人に対するサイドターンランプの点滅有無の視認性を向上させたものが知られている。この種のサイドターンランプは、アウターハウジングと、透明な樹脂材料からなり、アウターハウジングに組み合わされたアウターレンズと、アウターハウジング及びアウターレンズにより画成された燈体空間内に配設された発光体ユニットと、を備えている。そして、発光体ユニットから出射された光は、アウターレンズを透過して外部に放射されるようになっている。
【０００３】
しかしながら、上述したサイドターンランプでは、アウターレンズが透明材料により形成されているため、例えば非点灯時にはアウターレンズを通して燈体空間の内部（発光体ユニットやその周辺部）が見えてしまい、見栄えが悪いという問題がある。
【０００４】
そこで、例えば下記特許文献１〜３には、アウターレンズの表面にハーフミラー処理や、塗料等のコーティングを施す構成が開示されている。そのうち、特許文献３には、クロムやニッケル等の金属膜を蒸着法により形成する構成が開示されている。
【先行技術文献】
【特許文献】
【０００５】
【特許文献１】特開２０００−２５５１９号公報
【特許文献２】特開２００５−２１２７５５号公報
【特許文献３】特表２００７−５３２３８９号公報
【発明の概要】
【発明が解決しようとする課題】
【０００６】
ところで、アウターレンズは、光透過性、耐候性等の観点からアクリル樹脂が好適に用いられている。しかしながら、アクリル樹脂は、金属膜との密着性が悪いという問題がある。
これに対して、アウターレンズに、金属膜との密着性が高いポリカーボネート樹脂を用いることも考えられる。具体的に、ポリカーボネート樹脂は、化学式においてベンゼン環を有する分子構造を成している。一方、上述したアクリル樹脂は、ベンゼン環を有していない分子構造をなしている。この場合、一般的にベンゼン環を有している物質は、その表面が活性状態であるため、金属膜を付着させ易く、逆にベンゼン環を有していない物質は、その表面が不活性状態であり、金属膜を付着させ難いものと推定される。
【０００７】
しかしながら、ポリカーボネート樹脂は、傷付き易く、また紫外線にも弱いため、表面に別途ハードコート処理等を施す必要がある。そのため、コストの増加に繋がるという問題がある。
【０００８】
そこで、本発明は、上述した問題に鑑みてなされたものであり、ハーフミラー層の密着性を向上させた上で、非点灯時においても見栄えの良い車両用燈体及び燈体付ドアミラーを提供するものである。
【課題を解決するための手段】
【０００９】
上記の課題を解決するために、本発明に係る車両用燈体は、アウターハウジングと、前記アウターハウジングに進行方向の前方から組み合わされるアウターレンズと、前記アウターハウジング及び前記アウターレンズの間に設けられる発光体ユニットと、を備えた燈体付ドアミラーにおいて、前記アウターレンズは、アクリル樹脂からなる外層と、前記外層の後面に積層されたポリカーボネート樹脂からなる内層と、前記内層の後面に積層された金属からなるハーフミラー層と、を有していることを特徴とする。
【００１０】
この構成によれば、発光体ユニットの非点灯時においては、アウターレンズに入射した外部の光がハーフミラー層で反射されることで、外部からアウターレンズをみたとき鏡面のように見える。したがって、車両用燈体の内部がアウターレンズを通して見えないようになっている。
一方、発光体ユニットの点灯時、発光体ユニットから出射された光は、アウターレンズのうち、ハーフミラー層、内層、及び外層を透過して、外部に向けて出射される。
これにより、所定の配光性能を満足でき、法定上の方向指示機能を確保できるようになっている。
【００１１】
そして、本発明の構成によれば、上述したように発光体ユニットの非点灯時には、車両用燈体の内部がアウターレンズを通して見えないようになっているため、見栄えを向上させることができる。
特に、ポリカーボネート樹脂からなる内層にハーフミラー層を積層することで、アクリル樹脂にハーフミラー層を積層する構成に比べて、ハーフミラー層の密着性を向上させることができる。
また、外層をアクリル樹脂で形成することで、ポリカーボネート樹脂が外部に晒される構成に比べて、アウターレンズの耐候性を向上させることができるので、別途ハードコート処理を施す必要がなく、コスト増を抑制できる。
その結果、ハーフミラー層の剥離等を抑制し、長期に亘って見栄えの良い車両用燈体を提供できる。
【００１２】
また、本発明に係る車両用燈体は、前記ハーフミラー層は、成膜法により形成されていてもよい。
この構成によれば、ハーフミラー層が成膜法により形成されているため、薄くて均一な膜を所望の膜厚で形成することができる。これにより、所望の透過率を有するハーフミラー層を形成することができる。
【００１３】
また、本発明に係る燈体付ドアミラーは、上記本発明の車両用燈体を、前記アウターレンズを露出させた状態で収容するとともに、進行方向の後方からミラーが嵌め込まれるミラーボディーを備えていることを特徴とする。
この構成によれば、上記本発明の車両用燈体を備えているため、見栄えの良い燈体付ドアミラーを提供できる。
【発明の効果】
【００１４】
本発明によれば、ハーフミラー層の密着性を向上させた上で、非点灯時においても見栄えの良い車両用燈体及び燈体付ドアミラーを提供できる。
【図面の簡単な説明】
【００１５】
【図１】実施形態におけるドアミラーを進行方向前側から見た斜視図である。
【図２】図１のＡ−Ａ線に沿う断面図である。
【図３】アウターレンズの拡大断面図である。
【発明を実施するための形態】
【００１６】
以下、本発明の実施形態を図面に基づいて説明する。
［ドアミラー］
図１はドアミラー１を進行方向前側から見た斜視図であり、図２は図１のＡ−Ａ線に沿う断面図である。
図１、図２に示すように、本実施形態のドアミラー（燈体付ドアミラー）１は、車体２の側面に設けられたミラーベース３に取り付けられるものであって、図示しないドアに対して回動可能に支持されている。具体的に、ドアミラー１は、内部に収納された図示しない電動格納ユニットの駆動によって、進行方向後方を確認可能な使用位置（図１，２の位置）と、ドア面に沿って邪魔にならない格納位置と、の間を回動する。以下の説明における前後上下等の向きは、特に記載が無ければ車両における向きと同一とする。また、図中矢印ＦＲは前方（進行方向の前方）を、矢印ＵＰは上方をそれぞれ示している。
【００１７】
また、本実施形態のドアミラー１は、車体２の左右両側面にそれぞれ取り付けられている。これらドアミラー１は、左右対称の構成であるため、以下の説明では車体２の右側に設けられたドアミラー１のみについて説明し、左側に設けられたドアミラー１についての説明は省略する。
【００１８】
ドアミラー１は、後方に向けて開放された箱型のミラーボディー１１と、ミラーボディー１１の後方開口部１２を覆うように嵌め込まれ、後方を確認するためのミラー１３（図２参照）と、ミラーボディー１１内に収容されたサイドターンランプ（車両用燈体）１４と、を備えている。
【００１９】
ミラーボディー１１は、例えば不透明の樹脂等からなり、上述した使用位置において車幅方向の外側に向かうに従い後方に向けて傾斜した状態で、上述したミラーベース３に取り付けられている。
ミラーボディー１１のうち、前方に位置する前壁１５は、前方に向けて凸の湾曲状とされ、車幅方向の外側に向かうに従い後方に向けて湾曲している。そして、前壁１５において、車幅方向の外側に位置する部分には、前方及び車幅方向の外側に向けて開放された開口部１６が形成されている。
【００２０】
図２に示すように、ミラー１３は、図示しないミラーホルダを介して鏡面調整ユニット２１に傾動可能に支持されている。鏡面調整ユニット２１は、車室内に配設された図示しないスイッチの操作によって駆動する電動アクチュエータを有し、ミラー１３を上下左右方向に傾動させ、ミラー１３を所望の角度に調整できるようになっている。
【００２１】
＜サイドターンランプ＞
サイドターンランプ１４は、ミラーボディー１１内に収納されたアウターハウジング２２と、このアウターハウジング２２に前方から組み付けられ、アウターハウジング２２と一体化するアウターレンズ２３と、これらアウターハウジング２２及びアウターレンズ２３により画成された燈体空間Ｓ内に配設された発光体ユニット２４と、を備えている。
【００２２】
アウターハウジング２２は、不透明材料（例えば、ポリカーボネート又はＡＢＳ樹脂等）からなり、前方及び車幅方向の外側に向けて開放された開口部２５を有する箱状に形成されている。具体的に、アウターハウジング２２は、ミラーボディー１１における前壁１５の外面形状に倣って、車幅方向の外側に向かうに従い後方に向けて湾曲している。
アウターハウジング２２における開口部２５の周縁には、外フランジ部２６が突設されている。なお、アウターハウジング２２は、図示しない取付ステーを介してミラーボディー１１に締結固定されている。
【００２３】
さらに、アウターハウジング２２のうち、車幅方向の内側に位置する側壁部２２ａには、コネクタハウジング３１が一体成形されている。このコネクタハウジング３１は、車幅方向に沿って延びる筒状とされ、外部電源（バッテリ）等の外部機器から延びるコネクタ３２が嵌着可能になっている。
【００２４】
発光体ユニット２４は、アウターハウジング２２内に収納された基板４１と、基板４１上に実装された複数（例えば、２つ）の光源４２，４３と、を有している。
基板４１は、アウターハウジング２２内における車幅方向の外側に位置する部分に、厚さ方向を上下方向に一致させた状態で固定されている。基板４１には、車幅方向の内側に向けて延びる端子４０が設けられている。端子４０は、アウターハウジング２２の側壁部２２ａを貫通してコネクタハウジング３１内に配置されており、コネクタハウジング３１に上述したコネクタ３２が嵌着されることで、各光源４２，４３に電力が供給されるようになっている。
【００２５】
光源４２，４３は、例えばＬＥＤ等からなり、そのうち一方の光源４２は、車幅方向の外側に向けて光Ｌ１を出射するように配置され、他方の光源４３は、斜め後方に向けて光Ｌ２を出射するように配置されている。
【００２６】
図１、図２に示すように、アウターレンズ２３は、アウターハウジング２２（図２参照）の開口部２５を閉塞している。具体的に、アウターレンズ２３は、上述したミラーボディー１１の開口部１６を通して外部に露出する意匠部３３と、意匠部３３の外周縁から突設された外フランジ部３４と、を備えている。
【００２７】
意匠部３３は、図２に示す平面視において、上述したアウターハウジング２２と同様に、ミラーボディー１１における前壁１５の外面形状に倣って、車幅方向の外側に向かうに従い後方に向けて湾曲している。そして、意匠部３３は、車幅方向の内側に位置する部分がミラーボディー１１の外面とほぼ面一になっている一方、車幅方向の外側に位置する部分は開口部１６から外部に突出している。
【００２８】
図１、図２に示すように、外フランジ部３４は、ミラーボディー１１における開口部１６の周囲に、図示しないパッキン等を介して後面側から当接している。また、外フランジ部３４は、上述したアウターハウジング２２の外フランジ部２６（図１参照）に二次成型等によって連結されている。なお、二次成型とは、アウターハウジング２２とアウターレンズ２３とを図示しない金型内で重ね合わせた状態で、金型にアウターレンズ２３と同一材料の透明な樹脂を流し込み、アウターハウジング２２とアウターレンズ２３とを一体化させることである。
【００２９】
図３は、アウターレンズ２３の拡大断面図である。
ここで、図２、図３に示すように、本実施形態のアウターレンズ２３は、アクリル樹脂からなる外層４４と、外層４４の後面側に積層されたポリカーボネート樹脂からなる内層４５と、内層４５の後面側に積層されたハーフミラー層４６と、を有している（何れも図３参照）。
【００３０】
外層４４及び内層４５は、二色成形により一体的に形成されたものであって、上述した意匠部３３及び外フランジ部３４を有するアウターレンズ２３の外観を構成している。また、内層４５は、外層４４よりも薄く形成されており、具体的には、射出成形によって成形可能な薄さに形成することが好ましい。
【００３１】
ハーフミラー層４６は、入射した光の一部を反射し、一部を透過させる層であって、例えばアルミニウム（Ａｌ）、クロム（Ｃｒ）、チタン（Ｔｉ）等の金属からなり、上述した内層４５の後面全体に亘って形成されている。また、ハーフミラー層４６は、蒸着や、スパッタリング、ＰＶＤ，ＣＶＤ等の各種成膜法により形成され、厚さが１００〜２００Å程度で形成されている。なお、本実施形態のハーフミラー層４６は、透過率が１０％程度に設定されている。
【００３２】
このように構成されたドアミラー１においては、外部の光と、光源４２，４３から出射される光と、のうち、アウターレンズ２３（ハーフミラー層４６）を間に挟んで明るい側からの光の一部が反射することにより、明るい側からは鏡面のように見え、暗い側からは透明に見えるようになっている。
【００３３】
具体的に、光源４２，４３の非点灯時においては、アウターレンズ２３に入射した外部の光がハーフミラー層４６で反射されることで、アウターレンズ２３を外部から見たとき鏡面のように見える。したがって、サイドターンランプ１４の内部（燈体空間Ｓ内）がアウターレンズ２３を通して見えないようになっている。
【００３４】
一方、旋回時や非常時における光源４２，４３の点灯時、光源４２，４３から出射された光Ｌ１，Ｌ２は、アウターレンズ２３のうち、ハーフミラー層４６、内層４５、及び外層４４を透過して、外部に向けて出射される。このとき、一方の光源４２からは、車幅方向の外側に向けて光Ｌ１が出射され、他方の光源４３からは、斜め後方に向けて光Ｌ２が出射される。
これにより、所定の配光性能を満足でき、法定上の方向指示機能を確保できるようになっている。
【００３５】
したがって、本実施形態によれば、上述したように光源４２，４３の非点灯時には、サイドターンランプ１４の内部がアウターレンズ２３を通して見えないようになっているため、見栄えを向上させることができる。
特に、本実施形態では、ポリカーボネート樹脂からなる内層４５にハーフミラー層４６を積層することで、アクリル樹脂にハーフミラー層４６を積層する構成に比べて、ハーフミラー層４６の密着性を向上させることができる。
また、外層４４をアクリル樹脂で形成することで、ポリカーボネート樹脂が外部に晒される構成に比べて、アウターレンズ２３の耐候性を向上させることができるので、別途ハードコート処理を施す必要がなく、コスト増を抑制できる。
その結果、ハーフミラー層４６の剥離等を抑制し、長期に亘って見栄えの良いサイドターンランプ１４を提供できる。  
【００３６】
また、ハーフミラー層４６が成膜法により形成されているため、薄くて均一な膜を所望の膜厚で形成することができる。これにより、所望の透過率を有するハーフミラー層４６を形成することができる。
そして、本実施形態のドアミラー１では、上述したサイドターンランプ１４を備えているため、見栄えの良いドアミラー１を提供できる。
【００３７】
なお、本発明の技術範囲は上記実施の形態に限定されるものではなく、本発明の趣旨を逸脱しない範囲において種々の変更を加えることが可能である。
例えば、実施形態では、外層４４に対して前面に内層４５及びハーフミラー層４６を積層する構成について説明したが、これに限らず、内層４５及びハーフミラー層４６は、少なくとも意匠部３３に位置する部分に形成されていれば構わない。
また、ハーフミラー層４６の材料や膜厚等は、要求される透過率に応じて適宜設計変更が可能である。
【００３８】
また、上述した実施形態の発光体ユニット２４は、方向指示機能を確保するための配光機能のみを有する構成について説明したが、これに加えて、前方に向けて光を照射し、ドアミラー全体の意匠性を高める、いわゆる加飾機能を有する構成にしても構わない。
【００３９】
また、上述した実施形態では、アウターハウジング２２とアウターレンズ２３とを二次成型によって連結する場合について説明したが、これに限らず、ねじ部材等によって締結固定したり、係合爪等によって係合させたりしても構わない。
但し、二次成型により連結することで、ねじ部材等の固定部材を用いることなく、アウターハウジング２２とアウターレンズ２３とを一体化できるので、部品点数を減少させることができるとともに、サイドターンランプ１４全体の小型化を図ることが可能になる点で好ましい。また、アウターハウジング２２とアウターレンズ２３とで画成された燈体空間Ｓの気密性、水密性を高める点でも好ましい。
【００４０】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００４１】
１…ドアミラー（燈体付ドアミラー）  ２…車体  １１…ミラーボディー  １４…サイドターンランプ（車両用燈体）  ２２…アウターハウジング  ２３…アウターレンズ  ２４…発光体ユニット  ４４…外層  ４５…内層  ４６…ハーフミラー層
【図１】
2014172439.tif 000003
【図２】
2014172439.tif 000004
【図３】
2014172439.tif 000005